(57)【要約】【課題】清掃シートに対する保持性を高めつつ、清掃シートの挿入部に容易に挿入することが可能な清掃具の保持具を提供する。【解決手段】保持具２は、清掃シート３の挿入部３９に挿入されて、清掃シートを保持する保持部１２と、保持部に連接され、使用者に把持される把持部１１と、を備える。保持部は、把持部に連接された連接部１３と、連接部から長手方向に延び、幅方向に互いに離間する一対の延在部１４と、を含む。各延在部は、連接部とは長手方向の反対側に位置する先端部１５を含み、先端部の側に位置し、幅方向の内側の部分が外側の部分よりも厚さ方向の下方に位置する傾斜部分２０を有する。先端部における幅方向の内側の端縁１５Ｅが、先端部における長手方向の連接部の側の端部で、幅方向の外側に屈曲する。一対の延在部での一対の先端部同士の間の幅方向の距離Ｄは、連結部から長手方向に離れるに連れて長くなる。【選択図】図３
2020182539.tif 000002
【特許請求の範囲】
【請求項１】
清掃シートと清掃シートを保持するための保持具とを備える清掃具に用いられる保持具であって、
清掃シートの挿入部に挿入されて、前記清掃シートを保持する保持部と、
前記保持部に連接され、使用者に把持される把持部と、
を備え、
前記保持部は、長手方向、幅方向及び厚さ方向を有し、
前記把持部に連接された連接部と、
前記連接部から前記長手方向に延び、前記幅方向に互いに離間する一対の延在部と、
を含み、
前記一対の延在部の各々は、
前記連接部とは前記長手方向の反対側に位置する端部である先端部を含み、
前記連接部よりも前記先端部の側に位置し、前記幅方向の内側の部分が外側の部分よりも前記厚さ方向の下方に位置する傾斜部分を有しており、
前記先端部における前記幅方向の内側の端縁が、前記先端部における前記長手方向の前記連接部の側の端部で、前記幅方向の外側に屈曲しており、
前記一対の延在部における一対の前記先端部同士の間の前記幅方向の距離は、前記連結部から前記長手方向に離れるに連れて長くなる、
保持具。
【請求項２】
前記一対の延在部の各々は、平面視で、前記長手方向に延び、前記幅方向の内側及び外側にそれぞれ位置し、互いに離間する第１弾性部材及び第２弾性部材を備え、
前記一対の延在部の各々において、
前記第１弾性部材及び前記第２弾性部材は、前記先端部及び前記連接部の各々で互いに連結されており、
前記第１弾性部材は、前記第２弾性部材よりも前記厚さ方向の下方に位置しており、
前記傾斜部分は、前記第１弾性部材と前記第２弾性部材とで構成される、
請求項１に記載の保持具。
【請求項３】
前記第１弾性部材は、前記厚さ方向の下側に凸な曲面を有する下側凸部分を有し、
前記第２弾性部材は、前記厚さ方向の上側に凸な曲面を有する上側凸部分を有する、
請求項２に記載の保持具。
【請求項４】
前記一対の延在部の各々において、前記第１弾性部材及び前記第２弾性部材は、平面視で、前記幅方向に離間している、
請求項２又は３に記載の保持具。
【請求項５】
前記第１弾性部材は、前記幅方向の内側に凸な曲面を有する内側凸部分を有し、
前記第２弾性部材は、前記幅方向の外側に凸な曲面を有する外側凸部分を有する、
請求項４に記載の保持具。
【請求項６】
平面視で、前記第１弾性部材における前記幅方向の内側の端縁と前記第２弾性部材における前記幅方向の外側の端縁との間の長さは、前記先端部の前記幅方向の長さよりも長くなるように構成される、
請求項２乃至５のいずれか一項に記載の保持具。
【請求項７】
前記第１弾性部材は、前記先端部の側の端部において、前記幅方向の内側の端縁が、前記長手方向に平行に、又は、前記長手方向から前記幅方向の内側に傾くように延在する内側部分を有する、
請求項２乃至６のいずれか一項に記載の保持具。
【請求項８】
挿入部を備える清掃シートと、
前記挿入部に挿入され、前記清掃シートを保持するための、請求項１乃至７のいずれか一項に保持具と、
を備える、
清掃具。
【発明の詳細な説明】
【技術分野】
【０００１】
本開示は、清掃シートを保持するための保持具及び保持具を用いた清掃具に関する。
【背景技術】
【０００２】
清掃シートと、清掃シートを保持するための保持具と、を備える清掃具が知られている。例えば、特許文献１（特開２０１４−１６８６５３号公報）に、清掃シートと、清掃シートを保持する保持具からなる清掃具が開示されている。この清掃具では、保持具は、清掃シートを保持する保持部と、保持部に連接されて使用者に把持される把持部とを有する。保持部は、把持部に連接した連接部と、連接部と反対側の先端部と、連接部から先端部に向かって延在した延在部を有する。延在部は、連接部で互いに連結された一対の長尺状部材で構成される。
【先行技術文献】
【特許文献】
【０００３】
【特許文献１】特開２０１４−１６８６５３号公報
【発明の概要】
【発明が解決しようとする課題】
【０００４】
特許文献１において、清掃具に長手方向、幅方向及び厚さ方向を仮定すると、清掃シートは、幅方向に互いに離間し、長手方向に延びる一対の挿入部を有する。そして、清掃シートが保持具に装着されるとき、一対の長尺状部材が長手方向に沿って一対の挿入部に挿入されることで、保持具が清掃シートを保持する。このとき、一対の長尺状部材が一対の挿入部に滑らかに挿入されるように、一対の長尺状部材における一対の先端部の間の幅方向の距離は、一対の挿入部の間の幅方向の距離と同程度とされる。
【０００５】
このような保持具では、清掃シートに対する保持性を高めるために、一対の長尺状部材の各々が、幅方向の内側の部分が外側の部分よりも厚さ方向の下方に位置する傾斜部分を有する場合がある。その場合、清掃具には、以下の事象が生じ得る。すなわち、テーブルのような平坦面の上に載置された清掃シートの一対の挿入部に一対の長尺状部材が挿入されるとき、一対の先端部は、清掃シートを介して平坦面に押し付けられる。その押し付けにより生じる押圧により、長尺状部材は、全体として、厚さ方向において、下方に凸となるように変形すると共に、幅方向において、傾斜部の変形し易い方向、すなわち傾斜部分の傾斜に沿う方向、したがって外側から内側に向かう方向に変形する。そうなると、一対の長尺状部材における一対の先端部の間の幅方向の距離が、一対の挿入部の間の幅方向の距離よりも短くなってしまい、一対の長尺状部材を一対の挿入部に滑らかに挿入し難くなるおそれがある。
【０００６】
また、清掃具を使用するとき、清掃具を被清掃面に押付けて清掃する場合がある。その頻度が多くなると、すなわち、一対の長尺状部材における一対の先端部が、被清掃面に押し付けられる状態が繰り返されると、一対の長尺状部材における一対の先端部の間の幅方向の距離が、当初の幅方向の距離よりも短くなる頻度が多くなる。そのため、一対の長尺状部材に、一対の先端部の間の幅方向の距離が相対的に短くなるように変形し易くなる。その結果、新たに清掃シートを取り付けようとすると、押圧により、一対の先端部の間の幅方向の距離が、一対の挿入部の間の幅方向の距離よりもより短くなってしまい、一対の長尺状部材を一対の挿入部に滑らかに挿入し難くなるおそれがより高まる。
【０００７】
したがって、本発明の目的は、清掃シートと清掃シートを保持するための保持具とを備える清掃具に用いられる保持具において、清掃シートに対する保持性を高めつつ、清掃シートの挿入部に容易に挿入することが可能な保持具を提供し、及び、その保持具を備える清掃具を提供することにある。
【課題を解決するための手段】
【０００８】
本発明は、清掃シートと清掃シートを保持するための保持具とを備える清掃具に用いられる保持具であり、清掃シートの挿入部に挿入されて、前記清掃シートを保持する保持部と、前記保持部に連接され、使用者に把持される把持部と、を備え、前記保持部は、長手方向、幅方向及び厚さ方向を有し、前記把持部に連接された連接部と、前記連接部から前記長手方向に延び、前記幅方向に互いに離間する一対の延在部と、を含み、前記一対の延在部の各々は、前記連接部とは前記長手方向の反対側に位置する端部である先端部を含み、前記連接部よりも前記先端部の側に位置し、前記幅方向の内側の部分が外側の部分よりも前記厚さ方向の下方に位置する傾斜部分を有しており、前記先端部における前記幅方向の内側の端縁が、前記先端部における前記長手方向の前記連接部の側の端部で、前記幅方向の外側に屈曲しており、前記一対の延在部における一対の前記先端部同士の間の前記幅方向の距離は、前記連結部から前記長手方向に離れるに連れて長くなる、保持具である。
【発明の効果】
【０００９】
本発明によれば、清掃シートと清掃シートを保持するための保持具とを備える清掃具に用いられる保持具において、清掃シートに対する保持性を高めつつ、清掃シートの挿入部に容易に挿入することが可能な保持具を提供し、及び、その保持具を備える清掃具を提供することが可能となる。
【図面の簡単な説明】
【００１０】
【図１】図１は、実施形態に係る清掃具の構成例を示す斜視図である。
【図２】図２は、実施形態に係る保持具の構成例を示す側面図である。
【図３】図３は、実施形態に係る保持具の構成例を示す上面図である。
【図４】図４は、図３におけるＩＶ−ＩＶ線に沿った断面図である。
【図５】図５は、実施形態に係る保持具の保持部の拡大上面図である。
【図６】図６は、実施形態に係る清掃シートの構成例を示す図である。
【発明を実施するための形態】
【００１１】
本実施形態は、以下の態様に関する。
［態様１］
清掃シートと清掃シートを保持するための保持具とを備える清掃具に用いられる保持具であって、清掃シートの挿入部に挿入されて、前記清掃シートを保持する保持部と、前記保持部に連接され、使用者に把持される把持部と、を備え、前記保持部は、長手方向、幅方向及び厚さ方向を有し、前記把持部に連接された連接部と、前記連接部から前記長手方向に延び、前記幅方向に互いに離間する一対の延在部と、を含み、前記一対の延在部の各々は、前記連接部とは前記長手方向の反対側に位置する端部である先端部を含み、前記連接部よりも前記先端部の側に位置し、前記幅方向の内側の部分が外側の部分よりも前記厚さ方向の下方に位置する傾斜部分を有しており、前記先端部における前記幅方向の内側の端縁が、前記先端部における前記長手方向の前記連接部の側の端部で、前記幅方向の外側に屈曲しており、前記一対の延在部における一対の前記先端部同士の間の前記幅方向の距離は、前記連結部から前記長手方向に離れるに連れて長くなる、保持具。
本保持具では、一対の延在部における一対の先端部同士の間の幅方向の距離は、連結部から長手方向に離れるに連れて長くなっている。それゆえ、一対の延在部同士が互いに近づいても、一対の先端部同士はある程度の距離を保つことができる。そのため、清掃シートに対する保持性を高めるために一対の延在部の各々が傾斜部分を有していたり、一対の先端部が押圧等により互いに幅方向の内側に寄るように変形したりしたとしても、一対の先端部同士の間の幅方向の距離が短くなり過ぎることを抑制できる。すなわち、一対の先端部の間の幅方向の距離が、一対の挿入部の間の幅方向の距離よりも短くなることを抑制できる。それにより、清掃シートに対する保持性を高めつつ、一対の延在部を清掃シートの一対の挿入部に滑らかに挿入し易くすることが可能となる。
【００１２】
［態様２］
前記一対の延在部の各々は、平面視で、前記長手方向に延び、前記幅方向の内側及び外側にそれぞれ位置し、互いに離間する第１弾性部材及び第２弾性部材を備え、前記一対の延在部の各々において、前記第１弾性部材及び前記第２弾性部材の各々は、前記先端部及び前記連接部に連結されており、前記第１弾性部材は、前記第２弾性部材よりも前記厚さ方向の下方に位置しており、前記傾斜部分は、前記第１弾性部材と前記第２弾性部材とで構成される、態様１に記載の保持具。
本保持具では、延在部は、第１弾性部材及び第２弾性部材を備えており、傾斜部分は、幅方向の内側かつ厚さ方向の相対的に下方に位置する第１弾性部材と、幅方向の外側かつ厚さ方向の相対的に上方に位置する第２弾性部材とで構成される。このような傾斜部分は、保持具における清掃シートに対する保持性をより高めることができるが、一対の先端部が押圧等により互いに幅方向の内側に寄るようにより変形し易くなる。しかし、本保持具では、一対の先端部同士の間の幅方向の距離は、連結部から長手方向に離れるに連れて長くなるので、一対の先端部同士の間の幅方向の距離が、一対の挿入部の間の幅方向の距離よりも短くなることを抑制できる。
【００１３】
［態様３］
前記第１弾性部材は、前記厚さ方向の下側に凸な曲面を有する下側凸部分を有し、前記第２弾性部材は、前記厚さ方向の上側に凸な曲面を有する上側凸部分を有する、態様２に記載の保持具。
本保持具では、第１弾性部材は下側凸部分を有し、第２弾性部材は上側凸部分を有するので、保持具における清掃シートに対する保持性をより高めることができる。そして、本保持具では、一対の先端部同士の間の幅方向の距離は、連結部から長手方向に離れるに連れて長くなるので、一対の先端部同士の間の幅方向の距離が、一対の挿入部の間の幅方向の距離よりも短くなることを抑制できる。
【００１４】
［態様４］
前記一対の延在部の各々において、前記第１弾性部材及び前記第２弾性部材は、平面視で、前記幅方向に離間している、態様２又は３に記載の保持具。
本保持具では、傾斜部分は、第１弾性部材と第２弾性部材とが、厚さ方向の下方と上方とに互いに離間され、かつ幅方向の内側と外側とに互いに離間されるように構成される。このような傾斜部分は、保持具における清掃シートに対する保持性を更により高めることができるが、一対の先端部が押圧等により互いに幅方向の内側に寄るように更により変形し易くなる。しかし、本保持具では、一対の先端部同士の間の幅方向の距離は、連結部から長手方向に離れるに連れて長くなるので、一対の先端部同士の間の幅方向の距離が、一対の挿入部の間の幅方向の距離よりも短くなることを抑制できる。
【００１５】
［態様５］
前記第１弾性部材は、前記幅方向の内側に凸な曲面を有する内側凸部分を有し、前記第２弾性部材は、前記幅方向の外側に凸な曲面を有する外側凸部分を有する、態様４に記載の保持具。
本保持具では、第１弾性部材は内側凸部分を有し、第２弾性部材は外側凸部分を有するので、保持具における清掃シートに対する保持性をより高めることができる。そして、本保持具では、一対の先端部同士の間の幅方向の距離は、連結部から長手方向に離れるに連れて長くなるので、一対の先端部同士の間の幅方向の距離が、一対の挿入部の間の幅方向の距離よりも短くなることを抑制できる。
【００１６】
［態様６］
平面視で、前記第１弾性部材における前記幅方向の内側の端縁と前記第２弾性部材における前記幅方向の外側の端縁との間の長さは、前記先端部の前記幅方向の長さよりも長くなるように構成される、態様２乃至５のいずれか一項に記載の保持具。
本保持具では、平面視で、第１弾性部材における幅方向の内側の端縁と第２弾性部材における幅方向の外側の端縁との間の長さが、先端部の幅方向の長さよりも長い。このような傾斜部分は、保持具における清掃シートに対する保持性を更により高めることができるが、一対の先端部が押圧等により互いに幅方向の内側に寄るように更により変形し易くなる。しかし、本保持具では、一対の先端部同士の間の幅方向の距離は、連結部から長手方向に離れるに連れて長くなるので、一対の先端部同士の間の幅方向の距離が、一対の挿入部の間の幅方向の距離よりも短くなることを抑制できる。
【００１７】
［態様７］
前記第１弾性部材は、前記先端部の側の端部において、前記幅方向の内側の端縁が、前記長手方向に平行に、又は、前記長手方向から前記幅方向の内側に傾くように延在する内側部分を有する、態様２乃至６のいずれか一項に記載の保持具。
本保持具では、一対の第１弾性部材は、一対の内側部分を有する。このような保持具では、一対の先端部が押圧等により互いに幅方向の内側に接近したとしても、それらが互いに寄り過ぎる前に、一対の内側部分同士が衝突し合うことになる。その衝突により、一対の先端部が互いに幅方向の内側に寄り過ぎることを抑制できる。それにより、一対の先端部同士の間の幅方向の距離が、一対の挿入部の間の幅方向の距離よりも短くなることを抑制できる。
【００１８】
［態様８］
挿入部を備える清掃シートと、前記挿入部に挿入され、前記清掃シートを保持するための、態様１乃至７のいずれか一項に保持具と、を備える、清掃具。
本清掃具では、保持具において、一対の延在部における一対の先端部同士の間の幅方向の距離は、連結部から長手方向に離れるに連れて長くなる。そのため、清掃シートに対する保持性を高めるために一対の延在部の各々が傾斜部分を有しており、かつ、一対の先端部が押圧等により互いに幅方向の内側に寄るように変形したとしても、一対の先端部同士の間の幅方向の距離が短くなり過ぎることを抑制できる。すなわち、一対の先端部の間の幅方向の距離が、一対の挿入部の間の幅方向の距離よりも短くなることを抑制できる。それにより、清掃具において、清掃シートに対する保持性を高めつつ、一対の延在部を清掃シートの一対の挿入部に滑らかに挿入し易くすることが可能となる。
【００１９】
以下、本実施形態に係る清掃具について説明する。
【００２０】
図１は、本実施形態に係る清掃具の構成例を示す斜視図である。清掃具１は清掃シート３と保持具２とを備えている。清掃シート３は、挿入部３９を備えたシート状の部材である。保持具２は、清掃シート３の挿入部３９に挿入され、清掃シート３を保持する部材である。清掃具１の使用者は、清掃シート３の挿入部３９に保持具２を挿入することで、保持具２に清掃シート３を装着して、保持具２を把持しつつ、清掃シート３で被清掃面の上に存在する埃や塵のような汚れを除去する。
【００２１】
図２〜図５は、実施形態に係る保持具２の構成例を示す図である。図２は保持具２の構成例を示す側面図、図３は保持具２の構成例を示す上面図、図４は図３におけるＩＶ−ＩＶ線に沿う断面図、図５は保持部（後述）の構成例を示す拡大上面図である。
【００２２】
保持具２は、保持部１２と把持部１１とを備えている。保持部１２と把持部１１とは一体に形成されている。ただし、保持部１２と把持部１１とは別体に形成され、互いに着脱可能又は着脱不可能に接合されてもよい。
【００２３】
把持部１１は、保持部１２に連接されており、清掃具１の使用時などで使用者に把持される。把持部１１は、細長い筒状で、略緩やかな円弧状の形を有している。ただし、把持部１１は、把持可能な構造であれば特に制限はなく、例えば、細長い棒状でもよく、略曲線状、略直線状又はそれらの組み合わせの形を有していてもよい。把持部１１では、一端部が保持部１２に連結され、中央部分又は他端部側の部分が把持される。
【００２４】
保持部１２は、清掃シート３の挿入部３９に挿入されて、清掃シート３を保持する。保持部１２は、細長い薄板状で、部分的に略曲線状及び略直線状の形を有している。ただし、保持部１２は、挿入部３９に挿入可能な構造であれば特に制限はなく、例えば、細長い筒状又は棒状でもよく、略曲線状、略直線状又はそれらの組み合わせの形を有していてもよい。保持部１２では、一端部が把持部１１に連結され、中央部分及び他端部側の部分が清掃シート３の挿入部３９に挿入される。
【００２５】
保持具２の材料としては、合成樹脂材料が挙げられる。合成樹脂材料としては、例えば、ポリエチレン、ポリプロピレン、ポリアセタール、ポリエチレンテレフタラート、アクリロニトリル−ブタジエン−スチレン樹脂、ポリエステル系熱可塑性エラストマーなどが挙げられる。ただし、保持具２の材料としては、清掃時に加わる力に対して形状を概ね維持できれば、保持具２の一部に関しては材質的又は構造的に弾性変形可能であれば特に制限はなく、例えば、他の合成樹脂材料や、金属や、木材などであてもよい。
【００２６】
保持部１２は、長手方向Ｌ、幅方向Ｗ及び厚さ方向Ｔを有する。ただし、長手方向Ｌは保持部１２の長手の方向であり、保持部１２が延在する方向である。幅方向Ｗは、後述される基準平面ＰＬに含まれ、長手方向Ｌに直交する方向である。厚さ方向Ｔは長手方向Ｌ及び幅方向Ｗに直交する方向である。保持部１２は、更に、保持部１２の幅方向Ｗの中心を通り長手方向Ｌに延びる長手方向中心線ＣＬを有する。長手方向中心線ＣＬに近づく向き及び側をそれぞれ幅方向Ｗの内向き及び内側とし、遠ざかる向き及び側をそれぞれ幅方向Ｗの外向き及び外側とする。また、「平面視」とは長手方向Ｌ及び幅方向Ｗを含む平面に載置した状態の保持部１２を厚さ方向Ｔの上方側から見ることをいい、「平面形状」とは平面視で把握される形状をいう。「平面方向」とは幅方向Ｗ及び長手方向Ｌを含む面と平行な任意の方向である。なお、（清掃具１の）部材が延びる方向が「長手方向Ｌに沿う」、とは、部材が延びる方向が長手方向Ｌに平行な場合に限らず、部材が延びる方向の長手方向Ｌの成分が、部材が延びる方向の幅方向Ｗの成分よりも大きい場合も含む。一方、部材が延びる方向が「幅方向Ｗに沿う」とは、部材が延びる方向が幅方向Ｗに平行な場合に限らず、部材が延びる方向の幅方向Ｗの成分が、部材が延びる方向の長手方向Ｌの成分よりも大きい場合も含む。また、清掃シート３が保持具２に装着されたとき、清掃シート３の長手方向、幅方向及び厚さ方向は、保持部１２の長手方向Ｌ、幅方向Ｗ及び厚さ方向Ｔと一致するので、以下では、清掃シート３に関しても、保持具２に装着されたことを想定して、長手方向Ｌ、幅方向Ｗ及び厚さ方向Ｔを適用するものとする。
【００２７】
保持部１２は、連接部１３と一対の延在部１４、１４とを含んでいる。連接部１３と一対の延在部１４、１４とは一体に形成されている。ただし、連接部１３と一対の延在部１４、１４とは別体に形成され、互いに着脱可能又は着脱不可能に接合されていてもよい。
【００２８】
連接部１３は、把持部１１に連接されており、したがって、把持部１１と一対の延在部１４、１４とを互いに連結している。連接部１３は、略薄板状であり、平面視で略矩形状の形を有する。ただし、連接部１３は、把持部１１と一対の延在部１４、１４とを互いに連結可能な形であれば特に制限はなく、例えば平面視で略円形状や略楕円形状の形を有してもよい。本実施形態では、連接部１３は、清掃シート３の装着時に清掃シート３の長手方向Ｌの端部を厚さ方向Ｔの上から押えて、長手方向Ｌの把持部１１側への移動を抑制する押え板１９を有している。
【００２９】
一対の延在部１４、１４は、連接部１３から長手方向Ｌに延び、幅方向Ｗに互いに離間している。一対の延在部１４、１４は、平面視で、長手方向中心線ＣＬに対して線対称に配置されており、長手方向中心線ＣＬを含み、幅方向Ｗに直交する平面に対して、鏡面対象の構造を有している。一対の延在部１４、１４は、全体として、平面視で、長手方向Ｌの両端部で幅方向Ｗの長さ（幅）が短く、中央部で幅方向Ｗの長さ（ＷＡ）が長い形を有する。一対の延在部１４、１４が清掃シート３の挿入部３９に挿入されることで、保持部１２は清掃シート３を保持する。
【００３０】
延在部１４は、略細長板状であり、平面視で、長手方向Ｌの両端部で幅方向Ｗの長さ（幅）が短く、中央部で幅方向Ｗの長さが長い形を有する。ただし、延在部１４は、挿入部３９に挿入可能であれば特に制限はなく、例えば幅方向Ｗの長さが長手方向Ｌの位置によらず概ね同じでもよい。延在部１４は、連接部１３とは長手方向Ｌの反対側に位置する端部である先端部１５を含んでいる。先端部１５における、連接部１３とは長手方向Ｌの反対側に位置する端縁１５Ｒは、円形状に面取りされている。なお、端縁１５Ｒは、他の面取り形状を有してもよい。例えば、細長い矩形の先端の角部にＣ面取、Ｒ面取りをしてもよく、細長い矩形の先端を三角形状にし、角部をＲ面取りしてもよい。
【００３１】
延在部１４は、連接部１３よりも先端部１５の側に位置し、幅方向Ｗの内側の部分が外側の部分よりも厚さ方向Ｔの下方に位置する傾斜部分２０を有している。したがって、傾斜部分２０は、延在部１４における、幅方向Ｗの外側の部分から内側の部分へ向かって厚さ方向Ｔに単調に傾いている部分である。このような傾斜部分２０を有することは、後述されるように延在部１４による清掃シート３に対する保持性を高めることができ好ましい。ただし、単調に傾くとは、延在部１４を長手方向Ｌ側から見て、傾斜部分２０が全体として傾いていればよく、幅方向Ｗの外側の部分から内側の部分へ向かう途中において、部分的に傾く程度が変化してもよく、傾いていなくてもよい。その場合、傾斜部分２０は、延在部１４の幅方向Ｗの全体（全幅）のうち、例えば３０％、好ましくは５０％、より好ましくは７０％の部分が傾いていればよい。また、傾斜部分２０は、延在部１４の長手方向Ｌの全体（全長）のうち、例えば３０％、好ましくは５０％、より好ましくは７０％の部分が傾いていればよい。
【００３２】
例えば、延在部１４が、長手方向Ｌに延びる略短冊状の平板の場合、傾斜部分２０は、平板のうち、連接部１３と先端部１５との間に位置し、幅方向Ｗの内側の部分が厚さ方向Ｔに低い位置に、幅方向Ｗの外側の部分が厚さ方向Ｔに高い位置になるように傾いている部分、である。また、延在部１４が、長手方向Ｌに延び、幅方向Ｗに並んだ複数の略短冊状の細平板の場合、傾斜部分２０は、幅方向Ｗに並んだ複数の細平板のうち、連接部１３と先端部１５との間に位置し、幅方向Ｗの内側の細平板が厚さ方向Ｔに低い位置に、幅方向Ｗの外側の細平板が厚さ方向Ｔに高い位置になるように配置されている部分といえる。
【００３３】
延在部１４は、幅方向Ｗの内側において、長手方向Ｌに沿って延び、幅方向Ｗの内側に位置する内側端縁１４ＩＮと、長手方向Ｌに沿って延び、幅方向Ｗの外側に位置する外側端縁１４ＯＵＴと、を有している。内側端縁１４ＩＮのうち、先端部１５の端縁１５Ｅが、先端部１５における長手方向Ｌの連接部１３の側の端部で、変曲点Ｂを境に、幅方向Ｗの外側に屈曲している。それにより、一対の延在部１４、１４における一対の先端部１５、１５同士の間の幅方向Ｗの距離Ｄは、連接部１３から長手方向Ｌに離れるに連れて長くなる。言い換えると、一対の先端部１５、１５同士の間の幅方向Ｗの距離Ｄは、先端部１５における長手方向Ｌの連接部１３の側の端部の位置で距離Ｄ１であり、先端部１５における長手方向Ｌの連接部１３と反対の側の端部の位置で距離Ｄ２（＞Ｄ１）である。このように距離Ｄが先端ほど大きくなることは、後述されるように保持部１２を挿入部３９に挿入し易くでき好ましい。
【００３４】
距離Ｄ１としては、例えば２〜２０ｍｍが挙げられ、好ましくは４〜１０ｍｍである。距離Ｄ２としては、例えば６〜３０ｍｍが挙げられ、好ましくは１０〜２０ｍｍである。また、先端部１５の端縁１５Ｅと、長手方向中心線ＣＬとが成す角αは、例えば４〜４０°が挙げられ、好ましくは６〜３５°であり、より好ましくは８〜３０°である。よって、長手方向中心線ＣＬを挟んで一対の先端部１５、１５の一対の端縁１５Ｅ、１５Ｅが成す角２αは、例えば８〜８０°が挙げられ、好ましくは１２〜７０°であり、より好ましくは１６〜６０°である。なお、ここでいう一対の先端部１５、１５同士の間の幅方向Ｗの距離Ｄに関しては、先端部１５の端縁１５Ｒの面取り部分は対象としない。
【００３５】
本実施形態では、一対の延在部１４、１４の各々は、弾性変形可能な部材で形成された第１中間部材１６と第２中間部材１７とを備えている（第１弾性部材及び第２弾性部材）。第１中間部材１６及び第２中間部材１７は、平面視で、長手方向Ｌに延び、幅方向Ｗの内側及び外側にそれぞれ位置している。第１中間部材１６及び第２中間部材１７は、互いに離間しつつ、長手方向Ｌの一端部をいずれも先端部１５に連結され、他端部をいずれも連接部１３に連結されている。
【００３６】
第１中間部材１６及び第２中間部材１７の各々は、略細長板状であり、平面視で、幅方向Ｗの長さ（幅）が長手方向Ｌに沿って概ね一定の形を有する。ただし、第１中間部材１６及び第２中間部材１７は、挿入部３９に挿入可能であれば特に制限はなく、例えば平面視で、幅方向Ｗの長さが一部分で短く、他の部分で長い形でもよい。
【００３７】
ここで、保持部１２は、少なくとも一方の先端部１５の厚さ方向Ｔの上側の面（平面）と、他方の先端部１５の厚さ方向Ｔの上側の面（平面）と、連接部１３の厚さ方向Ｔの上側の面（平面）とは、同一平面内に位置するように構成されている。その平面を基準平面ＰＬとする。その場合、基準平面ＰＬは長手方向Ｌに対して平行であり、幅方向Ｗは基準平面ＰＬに対して平行である。
【００３８】
第１中間部材１６は、第２中間部材１７よりも厚さ方向Ｔの下方に位置している。言い換えると、第１中間部材１６は基準平面ＰＬよりも厚さ方向Ｔの下方に位置し、第２中間部材１７は基準平面ＰＬよりも厚さ方向Ｔの上方に位置している。この場合、傾斜部分２０は、第１中間部材１６と第２中間部材１７とで構成されている。すなわち、延在部１４が、長手方向Ｌに延び、幅方向Ｗに並んだ第１中間部材１６及び第２中間部材１７の場合、傾斜部分２０は、幅方向Ｗの内側の第１中間部材１６が基準平面ＰＬに対して厚さ方向Ｔに低い位置に、幅方向Ｗの外側の第２中間部材１７が基準平面ＰＬに対して厚さ方向Ｔに高い位置になるように配置されている部分、ということができる。このような第１中間部材１６と第２中間部材１７とで構成される傾斜部分２０を有することは、後述されるように、延在部１４による清掃シート３に対する保持性を高めることができ好ましい。
【００３９】
延在部１４は、内側部分２２を有している。内側部分２２は、第１中間部材１６のうち、先端部１５の近傍であって、先端部１５よりも連接部１３の側の部分である。内側部分２２では、内側端縁１４ＩＮのうち、先端部１５の近傍であって、先端部１５よりも連接部１３の側の部分の端縁１６Ｅが、長手方向Ｌの連接部１３から遠ざかる向きに、長手方向Ｌに平行に、又は、長手方向Ｌから幅方向Ｗの内側に傾くように延在する。したがって、内側端縁１４ＩＮにおいて、長手方向Ｌの連接部１３から遠ざかる向きに、内側部分２２の端縁１６Ｅが、長手方向Ｌに平行に、又は、長手方向Ｌから幅方向Ｗの内側に傾くように延在し、変曲点Ｂを境に、先端部１５の端縁１５Ｅが、幅方向Ｗの外側に屈曲して、長手方向Ｌから幅方向Ｗの外側に傾くように延在している。ただし、内側部分２２における（内側端縁１４ＩＮの）端縁１６Ｅと、長手方向中心線ＣＬとが成す角βは、例えば０〜１０°が挙げられ、好ましくは０〜５°である。よって、長手方向中心線ＣＬを挟んで一対の内側部分２２、２２の一対の端縁１６Ｅ、１６Ｅが成す角２βは、例えば０〜２０°が挙げられ、好ましくは０〜１０°である。
【００４０】
第１中間部材１６は、厚さ方向Ｔの下側に凸な曲面を有する下側凸部分１６ａを有し、第２中間部材１７は、厚さ方向Ｔの上側に凸な曲面を有する上側凸部分１７ａを有している。言い換えると、第１中間部材１６は、幅方向Ｗから見て、基準平面ＰＬに対して厚さ方向Ｔの下側に凸な下側凸部分１６ａを有し、第２中間部材１７は、基準平面ＰＬに対して厚さ方向Ｔの上側に凸な上側凸部分１７ａを有している。このような下側凸部分１６ａ及び上側凸部分１７ａを設けることで、第１中間部材１６及び第２中間部材１７をそれぞれ厚さ方向Ｔに弾性変形し易くすることができ好ましい。本実施形態では、第１中間部材１６の両端部は、基準平面ＰＬに対して平行であり、第１中間部材１６の中央部が下側凸部分１６ａを構成している。同様に、第２中間部材１７の両端部は、基準平面ＰＬに対して平行であり、第２中間部材１７の中央部が上側凸部分１７ａを構成している。本実施形態では、下側凸部分１６ａにおける基準平面ＰＬの下側に最も離れた（膨らんだ）位置と、基準平面ＰＬとの距離ＴＬは、例えば１〜２０ｍｍが挙げられ、好ましくは５〜１５ｍｍである。一方、上側凸部分１７ａにおける基準平面ＰＬの上側に最も離れた（膨らんだ）位置と、基準平面ＰＬとの距離ＴＵは、例えば１〜２０ｍｍが挙げられ、好ましくは５〜１５ｍｍである。ＴＬ＞ＴＵとする。このように傾斜部分２０において、第１中間部材１６が下側凸部分１６ａを有し、第２中間部材１７が上側凸部分１７ａを有することは、後述のように、延在部１４による清掃シート３に対する保持性を高められて好ましい。
【００４１】
この場合、延在部１４において、第１中間部材１６と第２中間部材１７とは、平面視で、幅方向Ｗに互いに離間している。例えば、平面視で、第１中間部材１６は幅方向Ｗの内側にやや膨らむよう構成され、第２中間部材１７は幅方向Ｗの外側にやや膨らむよう構成されている。すなわち、第１中間部材１６は、幅方向Ｗの内側に凸な曲面を有する内側凸部分１６ｂを有し、第２中間部材１７は、幅方向Ｗの外側に凸な曲面を有する外側凸部分１７ｂを有している。本実施形態では、第１中間部材１６の内側部分２２が長手方向Ｌに対して概ね平行であり、第１中間部材１６の残りの部分が内側凸部分１６ｂを構成している。また、第２中間部材１７は、全体として外側凸部分１７ｂを有している。このような内側凸部分１６ｂ及び外側凸部分１７ｂを設けることで、第１中間部材１６及び第２中間部材１７をそれぞれ幅方向Ｗに弾性変形し易くすることができ好ましい。本実施形態では、内側凸部分１６ｂにおける幅方向Ｗの膨らみ具合は、外側凸部分１７ｂにおける幅方向Ｗの膨らみ具合よりも小さい。すなわち、内側凸部分１６ｂの曲率は、外側凸部分１７ｂの曲率よりも小さい。このように傾斜部分２０において、第１中間部材１６が内側凸部分１６ｂを有し、第２中間部材１７が外側凸部分１７ｂを有することは、後述されるように、延在部１４による清掃シート３に対する保持性を高めることができ好ましい。
【００４２】
本実施形態では、延在部１４は、平面視で、第１中間部材１６における幅方向Ｗの内側の端縁と、第２中間部材１７における幅方向Ｗの外側の端縁との間の長さＷＤは、先端部１５の幅方向Ｗの長さＷＥよりも長くなるように構成される。すなわち、延在部１４は、平面視で、第１中間部材１６における内側端縁１４ＩＮと、第２中間部材１７における外側端縁１４ＯＵＴとの間の長さＷＤは、先端部１５の幅方向Ｗの長さＷＥよりも長くなるように構成される。本実施形態では、長さＷＤは、例えば５〜３０ｍｍが挙げられ、好ましくは１０〜２５ｍｍである。長さＷＥは、例えば１〜２０ｍｍが挙げられ、好ましくは５〜１５ｍｍである。このように長さＷＤが長さＷＥよりも長い延在部１４を有することは、後述のように延在部１４による清掃シート３に対する保持性を高められて好ましい。
【００４３】
次に、清掃シート３について説明する。図６は実施形態に係る清掃シート３の構成例を示す図である。図６（ａ）は下面図、図６（ｂ）は上面図、図６（ｃ）は図６（ｂ）のＶＩｃ−ＶＩｃ線に沿った断面図、図６（ｄ）は延在部１４の第１中間部材１６及び第２中間部材１７を挿入部３９に挿入した状態を示す断面図、である。清掃シート３は、平面視で長方形に形成されており、長辺が長手方向Ｌに沿い、短辺が幅方向Ｗに沿って延在している。清掃シート３としては、例えば、一回又は複数回の使用を目安とした使い捨てタイプのものや、洗濯などで繰り返し使用可能なタイプのものが挙げられる。清掃シート３は、厚さ方向Ｔに互いに積層されたシート本体部分３０と保持シート３５とを備える。
【００４４】
シート本体部分３０は、厚さ方向Ｔに互いに積層された基材シート３１と繊維集合体３２と外側シート３３とを備える。基材シート３１、繊維集合体３２、及び外側シート３３は、平面視で清掃シート３と同様の長方形に形成され、長辺が長手方向Ｌに沿い、短辺が幅方向Ｗに沿って延在している。基材シート３１及び外側シート３３は、不織布のシートであり、その材料としては、特に制限はなく、例えば合成樹脂が挙げられる。基材シート３１及び外側シート３３は、それぞれ長手方向Ｌに沿い、幅方向Ｗに沿って並んだ複数のぎざぎざ状の短冊片３１ａ、３３ａを含む。
【００４５】
繊維集合体３２は、複数の繊維が束状に形成された繊維束で形成された、繊維構造体である。繊維集合体３２の繊維は、幅方向Ｗにおける中心部分を、中心溶着線３８により、厚さ方向Ｔに、一方側に隣接する保持シート３５と他方側に隣接する外側シート３３共に溶着されている。更に、繊維集合体３２の繊維は、幅方向Ｗにおける中心よりやや外側の部分を、複数の溶着接合部３６、３７により、厚さ方向Ｔに、一方側に隣接する保持シート３５と共に互いに溶着されている。それにより、繊維集合体３２の繊維は、溶着接合部３６、３７を固定端とし、幅方向Ｗに固定端と対向する側（先端側）を自由端として、幅方向Ｗに延在する構成を有する。繊維集合体３２は、所定の平面や曲面による面構造を有するとともに、ある程度の厚みを有する立体形状として、あるいは薄肉シート形状として構成されるのが好ましい。繊維集合体３２の繊維の材料としては、例えばポリエチレン、ポリプロピレン、ポリエチレンテレフタレート、ナイロン、レーヨンなどが挙げられ、実用上はトウを開繊することによって得られる長繊維の集合体が好ましい。中でも、芯部分がポリプロピレン又はポリエチレンテレフタレートであり、鞘部分がポリエチレンである芯鞘複合繊維を用いて繊維集合体が構成されるのが好ましい。
【００４６】
保持シート３５は、不織布のシートであり、その材料としては、特に制限はなく、例えば合成樹脂が挙げられる。保持シート３５は、基材シート３１よりも長手方向Ｌの長さが短い長方形に形成され、長辺が長手方向Ｌに沿い、短辺が幅方向Ｗに沿って延在している。保持シート３５は、長手方向Ｌに沿い、幅方向Ｗに沿って並んだ複数のぎざぎざ状の短冊片３５ａを含む。
【００４７】
シート本体部分３０と保持シート３５は、清掃シート３の中心部分を中心溶着線３８と、中心溶着線３８の両側に位置する複数の円形の溶着接合部３６、３７にて溶着接合されている。すなわち、シート本体部分３０を構成する基材シート３１、繊維集合体３２、外側シート３３の各シートと、保持シート３５が、中心溶着線３８において溶着接合されている。また、シート本体部分３０のうちの基材シート３１と繊維集合体３２の一部と、保持シート３５が、溶着接合部３６、３７において溶着接合されている。
【００４８】
このように、各シートが溶着接合されることによって、保持シート３５と基材シート３１との間の領域であって、中心溶着線３８と、中心溶着線３８の幅方向Ｗの両側の溶着接合部３６、３７との間の領域に、長手方向Ｌに延在する一対の保持空間が形成される。保持空間は延在部１４を挿入し、保持するための空間であり、挿入部３９である。言い換えると、保持シート３５と基材シート３１との間の領域であって、中心溶着線３８に対して幅方向Ｗの一方側に位置する溶着接合部３６、３７における幅方向Ｗの内側の部分を仮想的につないだ曲線と、中心溶着線３８とで挟まれる領域を挿入部３９ということもできる。挿入部３９における長手方向Ｌの両端には、それぞれ開口ＳＥが形成されている。延在部１４が開口ＳＥから挿入部３９に挿入されることで、清掃シート３が保持具２に保持される。したがって、ここで、一対の挿入部３９、３９間の（幅方向Ｗの）距離を、一方の挿入部３９における幅方向Ｗの中心と他方の挿入部３９における幅方向Ｗの中心との距離とする。その場合、一対の延在部１４、１４を一対の挿入部３９、３９に挿入し易くする観点から、一対の延在部１４、１４間の距離Ｄ２は、一対の開口ＳＥの位置における一対の挿入部３９、３９間の距離と概ね同じであることが好ましい。また、一対の延在部１４、１４間の距離Ｄ２は、中心溶着線３８の幅方向Ｗの長さよりも大きく、一対の溶着接合部３６、３６間の距離から２本分の先端部１５の長さＷＥを除いた長さ以下であることが好ましい。
【００４９】
複数の溶着接合部３６、３７は、長手方向Ｌにおいて、曲線状に列を形成するように配置されている。すなわち、開口ＳＥ側の溶着接合部３６は、幅方向Ｗにおいて、中心溶着線３８に近接して配置されている。一方、複数の溶着接合部３７は、長手方向Ｌにおける両端の開口ＳＥの間の中間領域に、溶着接合部３６に比べて、中心溶着線３８から幅方向Ｗの外側に離間して、幅方向Ｗの外側に凸となる曲線（仮想）に沿って配置されている。これにより、挿入部３９は、幅方向Ｗにおける、開口ＳＥの断面積よりも中間領域の断面積が大きい構成となる。
【００５０】
清掃シート３に保持具２を挿入する場合を考える。
挿入部３９の開口ＳＥの幅は、少なくとも、第１中間部材１６と第２中間部材１７との間の幅方向Ｗの最大距離及び厚さ方向Ｔの最大距離のうちの大きい方よりも小さく形成されている。そのため、一対の延在部１４、１４を一対の挿入部３９、３９に挿入する過程において、各延在部１４では、第１中間部材１６及び第２中間部材１７が、開口ＳＥを通過するときに、互いに近接するように弾性変形する。
【００５１】
第１中間部材１６及び第２中間部材１７が開口ＳＥを通過した後は、復元力により、第１中間部材１６と第２中間部材１７は、連接部１３側の部分と先端部１５側の部分の中間領域において、互いに離れる方向に変形する。すなわち、初期状態に戻るように変形する。これにより、図６（ｄ）に示すように、挿入部３９が、第１中間部材１６と第２中間部材１７によって上下方向に拡張される。
【００５２】
挿入部３９への延在部１４の挿入が完了すると、凸部１８が溶着接合部３７の間に保持される。このとき、挿入部３９において、傾斜部分２０は、基材シート３１及び保持シート３５を厚さ方向Ｔ及び幅方向Ｗに互いに離れる方向に突っ張らせることができる。それゆえ、延在部１４は清掃シート３を安定的に保持することができる。本実施形態では、第１中間部材１６と第２中間部材１７の復元力によって、第１中間部材１６は、基材シート３１を下方に押し下げ、第２中間部材１７は、保持シート３５を上方に押し上げる。すなわち、挿入部３９において、傾斜部分２０が内側から外側に向かって基材シート３１及び保持シート３５を強く押す一方、基材シート３１及び保持シート３５が突っ張りつつ、傾斜部分２０を押え付ける。これにより、延在部１４が挿入部（保持空間）３９に係合され、強固に保持される。このように、傾斜部分２０により、延在部１４による清掃シート３に対する保持性を高めることができる。このとき、押え板１９が清掃シート３の長手方向Ｌの一端部を押えて、清掃シート３の抜け止めとして作用して、清掃シート３を保持部１２に、より確実に保持できる。それと共に、清掃シート３は、全体として、嵩が高められた状態で保持される。そのため、使用者が把持部１１を把持して清掃具１を動かすことで、繊維集合体３２及び外側シート３３における溶着接合部３６、３７よりも幅方向Ｗの先端側の部分で、清掃される面上の汚れを拭きとる等することができる。なお、一対の延在部１４、１４は、清掃シート３の両端に形成されたいずれの開口ＳＥから挿入部３９に挿入させてもよい。
【００５３】
このように、挿入部３９は、保持シート３５と基材シート３１との間の領域であって、中心溶着線３８と、中心溶着線３８の幅方向Ｗの両側の溶着接合部３６、３７との間の領域として形成される。そして、挿入部３９は、幅方向Ｗにおいて、開口ＳＥの断面積よりも中間領域の断面積が大きい構成となる。この挿入部３９において、傾斜部分２０は、基材シート３１及び保持シート３５を厚さ方向Ｔ及び幅方向Ｗに互いに離れる方向に突っ張らせることができる。例えば、傾斜部分２０の第１中間部材１６が下側凸部分１６ａを有し、第２中間部材１７が上側凸部分１７ａを有する場合、それらの弾性力により、傾斜部分２０で基材シート３１及び保持シート３５を厚さ方向Ｔへより強く押すことができる。それにより、延在部１４を挿入部３９により強固に保持できる。また、この挿入部３９では、傾斜部分２０の第１中間部材１６が内側凸部分１６ｂを有し、第２中間部材１７が外側凸部分１７ｂを有する場合、それらの弾性力により、傾斜部分２０で基材シート３１及び保持シート３５を幅方向Ｗへより強く押すことができ、延在部１４を挿入部３９により強固に保持できる。また、この挿入部３９では、延在部１４において長さＷＤが長さＷＥよりも長い場合、第２中間部材１７の幅方向Ｗの外側の端縁（外側端縁１４ＯＵＴ）の形状が、概ね複数の溶着接合部３７の配置に対応するので、延在部１４が挿入部３９から抜け難くすることができ、延在部１４を挿入部３９により強固に保持できる。これらのいずれの場合にも、延在部１４による清掃シート３に対する保持性を高めることができ、好ましい。
【００５４】
また、本実施形態によれば、第１中間部材１６と第２中間部材１７は、厚さ方向Ｔに離間しているだけでなく、幅方向Ｗにも離間している。すなわち、第１中間部材１６と第２中間部材１７は、厚さ方向Ｔに離間して配置され、清掃シート３を嵩高に保持するだけでなく、幅方向Ｗに離間して配置され、平面視における清掃シート３の面積を確保している。したがって、清掃シート３は、平面視における面積が小さくなることを抑制しつつ、嵩高に保持される。したがって、清掃シート３を広範な範囲で嵩高に保持することができ、清掃効率を向上することができる。
【００５５】
本実施形態に係る保持具２では、一対の延在部１４、１４における一対の先端部１５、１５同士の間の幅方向の距離Ｄは、連接部１３から長手方向Ｌに離れるに連れて長くなる。そのため、清掃シート３に対する保持性を高めるために一対の延在部１４、１４の各々が傾斜部分２０を有しており、かつ、一対の先端部１５、１５が押圧等により互いに幅方向Ｗの内側に寄るように変形したとしても、一対の先端部１５、１５同士の間の幅方向Ｗの距離Ｄが短くなり過ぎることを抑制できる。すなわち、一対の先端部１５、１５の間の幅方向Ｗの距離Ｄが、一対の挿入部３９、３９の間の幅方向Ｗの距離よりも短くなることを抑制できる。それにより、清掃シート３に対する保持性を高めつつ、一対の延在部１４、１４を清掃シート３の一対の挿入部３９、３９に滑らかに挿入し易くできる。
【００５６】
本実施形態に係る保持具では、延在部１４は、第１中間部材１６及び第２中間部材１７を備えており、傾斜部分２０は、幅方向Ｗの内側かつ厚さ方向Ｔの相対的に下方に位置する第１中間部材１６と、幅方向Ｗの外側かつ厚さ方向Ｔの相対的に上方に位置する第２中間部材１７とで構成される。このような傾斜部分２０は、保持具２における清掃シート３に対する保持性をより高めることができるが、一対の先端部１５、１５が押圧等により互いに幅方向Ｗの内側に寄るようにより変形し易くなる。しかし、本保持具２では、一対の先端部１５、１５同士の間の幅方向Ｗの距離は、連接部１３から長手方向Ｌに沿って離れるに連れて長くなる。そのため、一対の先端部１５、１５同士の間の幅方向Ｗの距離が、一対の挿入部３９、３９の間の幅方向Ｗの距離よりも短くなることを抑制できる。
【００５７】
本実施形態に係る保持具２では、第１中間部材１６は下側凸部分１６ａを有し、第２中間部材１７は上側凸部分１７ａを有するので、保持具２における清掃シート３に対する保持性をより高めることができる。そして、本保持具２では、一対の先端部１５、１５同士の間の幅方向Ｗの距離Ｄは、連接部１３から長手方向に沿って離れるに連れて長くなる。そのため、一対の先端部１５、１５同士の間の幅方向Ｗの距離Ｄが、一対の挿入部３９、３９の間の幅方向Ｗの距離よりも短くなることを抑制できる。
【００５８】
本実施形態に係る保持具２では、傾斜部分２０は、第１中間部材１６と第２中間部材１７とが、厚さ方向Ｔの下方と上方とに互いに離間され、かつ幅方向Ｗの内側と外側とに互いに離間されるように構成される。この傾斜部分２０は、保持具２における清掃シート３に対する保持性を更に高めることができるが、一対の先端部１５、１５が押圧等により互いに幅方向Ｗの内側に寄るように更により変形し易くなる。しかし、本保持具２では、一対の先端部１５、１５同士の間の幅方向の距離Ｄは、連接部１３から長手方向Ｌに沿って離れるに連れて長くなる。そのため、一対の先端部１５、１５同士の間の幅方向Ｗの距離Ｄが、一対の挿入部３９、３９の間の幅方向Ｗの距離よりも短くなることを抑制できる。
【００５９】
本実施形態に係る保持具２では、第１中間部材１６は内側凸部分１６ｂを有し、第２中間部材１７は外側凸部分１７ｂを有するので、保持具２における清掃シート３に対する保持性をより高めることができる。そして、本保持具２では、一対の先端部１５、１５同士の間の幅方向Ｗの距離Ｄは、連接部１３から長手方向に沿って離れるに連れて長くなるので、一対の先端部１５、１５同士の間の幅方向Ｗの距離Ｄが、一対の挿入部３９、３９の間の幅方向Ｗの距離Ｄよりも短くなることを抑制できる。
【００６０】
本実施形態に係る保持具２では、平面視で、第１中間部材１６における幅方向Ｗの内側の端縁と第２中間部材１７における幅方向Ｗの外側の端縁との間の長さＷＤが、先端部１５の幅方向Ｗの長さＷＥよりも長い。このような第１中間部材１６及び第２中間部材１７で構成される傾斜部分２０は、保持具２における清掃シート３に対する保持性を更により高めることができるが、一対の先端部１５、１５が押圧等により互いに幅方向Ｗの内側に寄るように更により変形し易くなる。しかし、本保持具２では、一対の先端部１５、１５同士の間の幅方向Ｗの距離Ｄは、連接部１３から長手方向Ｌに離れるに連れて長くなるので、一対の先端部１５、１５同士の間の幅方向Ｗの距離Ｄが、一対の挿入部３９、３９の間の幅方向Ｗの距離よりも短くなることを抑制できる。
【００６１】
本実施形態に係る保持具２では、一対の第１中間部材１６、１６は、一対の内側部分２２、２２を有する。この保持具２では、一対の先端部１５、１５が押圧等により互いに幅方向Ｗの内側に接近したとしても、それらが互いに寄り過ぎる前に、一対の内側部分２２、２２同士が互いに衝突し合うことになる。その衝突により、一対の先端部１５、１５が互いに幅方向Ｗの内側に寄り過ぎることを抑制できる。よって、一対の先端部同士の間の幅方向の距離が、一対の挿入部の間の幅方向の距離よりも短くなることを抑制できる。
【００６２】
本実施形態に係る清掃具１では、保持具２において、一対の延在部１４、１４における一対の先端部１５、１５同士の間の幅方向Ｗの距離Ｄは、連接部１３から長手方向に沿って離れるに連れて長くなる。そのため、清掃シート３に対する保持性を高めるために一対の延在部１４、１４の各々が傾斜部分２０を有しており、かつ、一対の先端部１５、１５が押圧等により互いに幅方向Ｗの内側に寄るように変形したとしても、一対の先端部１５、１５同士の間の幅方向Ｗの距離Ｄが短くなり過ぎることを抑制できる。すなわち、一対の先端部１５、１５の間の幅方向Ｗの距離Ｄが、一対の挿入部３９、３９の間の幅方向Ｗの距離よりも短くなることを抑制できる。それにより、清掃具１において、清掃シート３に対する保持性を高めつつ、一対の延在部１４、１４を清掃シート３の一対の挿入部３９、３９に滑らかに挿入し易くすることが可能となる。
【００６３】
本発明の保持具及び清掃具は、上述した各実施形態に制限されることなく、本発明の目的、趣旨を逸脱しない範囲内において、各実施形態の技術を適宜組合せることや変更すること等が可能である。
【符号の説明】
【００６４】
１    清掃具
２    保持具
３    清掃シート
１１    把持部
１２    保持部
１３    連接部
１４    延在部
１５    先端部
２０    傾斜部分
１５Ｅ    端縁
３９    挿入部
Ｄ    距離
【図１】
2020182539.tif 000003
【図２】
2020182539.tif 000004
【図３】
2020182539.tif 000005
【図４】
2020182539.tif 000006
【図５】
2020182539.tif 000007
【図６】
2020182539.tif 000008